(57)【要約】【課題】【解決手段】大人もしくは子供のいずれかによって使用可能な便座アッセンブリーは、大人が使用可能な大きさにされた第１の便座ユニット（３）と、子供が使用可能な大きさにされた第２の便座ユニット（８）と、これら便座ユニットのための蓋部（１３）とを有する。第１の便座ユニットと第２の便座ユニットと蓋手段との各々は個別に、便器に取り付け可能なヒンジピン（６）に回動可能に取着されている。第１の便座ユニットは、第２の便座ユニットが取着された点の両側で夫々少なくとも１点、合わせて少なくとも２点でヒンジピン手段に取着されている。
2004507304.tif 000002
【特許請求の範囲】
【請求項１】
大人が使用可能な大きさにされた第１の便座ユニットと、子供が使用可能な大きさにされた第２の便座ユニットと、これら便座ユニットのための蓋手段と、便器に取り付け可能なヒンジピン手段とを具備し、前記第１の便座ユニットと、第２の便座ユニットと、蓋手段との各々は、個別に前記ヒンジピン手段に回動可能に取着され、前記第１の便座ユニットは、第２の便座ユニットがヒンジピン手段に取着された点の両側で夫々少なくとも１点、合わせて少なくとも２点でヒンジピン手段に取着されている、大人もしくは子供のいずれかによって使用可能な便座アッセンブリー。
【請求項２】
前記第２の便座ユニットは、これが第１の便座ユニットに重なるようにヒンジピン手段に取着され、また、前記蓋手段は、これが第１の便座ユニットと第２の便座ユニットとの両方に重なるようにヒンジピン手段に取着されている、請求項１のアッセンブリー。
【請求項３】
前記ヒンジピン手段は、単一の連続したヒンジピンを有する、請求項１もしくは２のアッセンブリー。
【請求項４】
前記ヒンジピン手段は、一方が他方に向かって内方へと便器に取り付けられた点から夫々延びているほぼ同一線状の１対のヒンジピンを有する請求項１もしくは２のアッセンブリー。
【請求項５】
前記第２の便座ユニットは、単一の外方への延長部を備えたほぼ環状の座部を有し、この延長部は、これの遠端付近に、ヒンジピン手段と回動可能に共働する孔手段を有する、請求項１乃至４のいずれか１のアッセンブリー。
【請求項６】
前記第２の便座ユニットの孔手段は、これの座部の平面の下に位置し、任意で、平面の下に位置する単一延長部の領域に形成され得る、請求項５のアッセンブリー。
【請求項７】
前記第２の便座ユニットの孔手段は、ヒンジピン手段と回動可能に共働するようにされて、単一延長部、任意でこれの下面に形成されている少なくとも１つのヒンジアーム部を有する、請求項５のアッセンブリー。
【請求項８】
前記第１の便座ユニットは、ほぼ環状の座部と、これから外方に互いにほぼ平行に延びた１対のアーム部とを有し、各アーム部は、これの遠端付近に、ヒンジピン手段と回動可能に共働し得る孔手段を有する、請求項１乃至７のいずれか１のアッセンブリー。
【請求項９】
前記第１の便座ユニットは、ヒンジピン手段と回動可能に共働するようにされて、任意で第１の便座ユニットの座部の下面に設けられた少なくとも２つのヒンジアーム部を有する、請求項１乃至７のいずれか１のアッセンブリー。
【請求項１０】
前記蓋手段は、カバーと、このカバーの周縁部から下方へ延び、そして、蓋手段が“下げられた”位置にあるときに第２の便座ユニットを各側で及び上から囲むことができるリムとを有する、請求項１乃至９のいずれか１のアッセンブリー。
【請求項１１】
前記蓋手段は、第２の便座ユニットを、これら両方が“上げられた”位置にあるときに収容可能である、請求項１０のアッセンブリー。
【請求項１２】
前記蓋手段がアーム部の対を有し、各アーム部はこれの遠端付近に、ヒンジピン手段と回動可能に共働する孔手段を有する、請求項１乃至１１のいずれか１のアッセンブリー。
【請求項１３】
前記蓋手段は、第２の便座ユニットがヒンジピン手段に取着されている点の両側で夫々１点、合わせて２点で、また任意で、第２の便座ユニットが取り付けられている１点と第１の便座ユニットがヒンジピン手段に取着されている２つの点との個々の間で、ヒンジピン手段に回動可能に取着されている、請求項１２のアッセンブリー。
【請求項１４】
前記第１の便座ユニットのほぼ環状の座部と第２の便座ユニットのほぼ環状の座部とは、ほぼ同心である、請求項１乃至１３のいずれか１のアッセンブリー。
【請求項１５】
前記第２の便座ユニットのほぼ環状の座部はこれの内側の周縁部に、第２の便座ユニットを完全に上に位置付けるように第１の便座ユニットのほぼ環状の座部の内側の周縁部と共働するように任意でされた、下方向へ延びるリムを有する、請求項１４のアッセンブリー。
【発明の詳細な説明】
【０００１】
【発明の属する技術分野】
本発明は、便座、特に、大人及び子供が安全かつ便利に使用できる便座に関する。
【０００２】
【従来の技術】
従来の便座は、大人の使用者にとって便利な大きさにされている。この便座とこれの開口部との大きさは、小さな子供、特に、幼児用便器を卒業しようとする時期の子供には大き過ぎる。
【０００３】
大人用サイズの便座の開口部内に適合可能で、及びに小さな子供に適する大きさにされた便座と開口部とを有する挿入体を提供することが良く知られている。このような挿入体は幾つかの欠点を有する。
【０００４】
【発明が解決しようとする課題】
挿入体は、使用の間には（ｂｅｔｗｅｅｎ ｕｓｅｓ）大人用の大きさの座部から取り外され得る。保管スペースが必要であり、挿入体は、次に使用する前に見つけられ再び取り付けられなくてはならず、また、この頻度が高い。
【０００５】
あるいは、挿入体が所定位置に残されることもできる。しかしながら、通常、挿入体は、大人用の座部を“上げられた”位置で安全にバランスを取らせるのが不可能であるくらい大きい。大人用座部が“下げられた”位置にあるときは、大人用座部と挿入体との両方を覆うように従来の便座アッセンブリーの蓋部を“下げられた”位置に下げることが不可能である（従来は、“下げられた”位置は、便座アッセンブリーの部品が便器のリムに、もしくは他の部品にほぼ水平に位置することを示し、“上げられた”位置は、部品がほぼ垂直に位置されている、例えばトイレの水槽に対して位置していることを示す）。
【０００６】
付加的に、挿入体が所定位置に残されたままのトイレを使用しようとする大人は、最初に、トイレを使用する前に、不便な挿入体を取り外さなくてはならない。
【０００７】
挿入体はまた、大人用の大きさの座部に対してゆるみがちであり、よって、キャッチャーもしくは他の位置付け機構が多くは安全のために用いられる。しかしながら、これらは挿入体の取付け及び取り外しを更に不便にする。
【０００８】
子供用の便座を便座アッセンブリーの部品として、例えばハッチもしくはフラップにより覆うことのできる孔を従来の便座アッセンブリーの蓋部内に組み込むことにより、提供することができる。これらは使用が難しく、明らかな商業上の成功を収めたことがない。
【０００９】
かくして、本発明の目的は、現在の便器に適合でき、二者間選択構成で大人と子供の両方により使用可能で、及びこのような複数の構成の間で迅速かつ安全に切替え可能な便座アッセンブリーを提供することである。
【００１０】
【課題を解決するための手段】
本発明に係れば、大人が使用可能な大きさにされた第１の便座ユニットと、子供が使用可能な大きさにされた第２の便座ユニットと、これら便座ユニットのための蓋手段と、便器に取り付け可能なヒンジピン手段とを具備し、前記第１の便座ユニットと、第２の便座ユニットと、蓋手段との各々は、個別に前記ヒンジピン手段に回動可能に取着され、前記第１の便座ユニットは、第２の便座ユニットがヒンジピン手段に取着された点の両側で夫々少なくとも１点、合わせて少なくとも２点でヒンジピン手段に取着されている、大人もしくは子供のいずれかによって使用可能な便座アッセンブリーが提供される。
【００１１】
好ましくは、第２の便座ユニットは、これが第１の便座ユニットに重なるようにヒンジピン手段に取着され、また、前記蓋手段は、これが第１の便座ユニットと第２の便座ユニットとの両方に重なるようにヒンジピン手段に取着されている。
【００１２】
効果的には、ヒンジピン手段は、単一の連続したヒンジピンを有する。
【００１３】
代わりに、ヒンジピン手段は、一方が他方に向かって内方へと便器に取り付けられた点から夫々延びているほぼ同一線状の１対のヒンジピンを有する。
【００１４】
好ましくは、第２の便座ユニットは、単一の外方への延長部を備えたほぼ環状の座部を有し、この延長部は、これの遠端にもしくはこれの付近に、ヒンジピン手段と回動可能に共働する孔手段を有する。
【００１５】
第２の便座ユニットの孔手段は、これの座部の平面の下に位置し、任意で、平面の下に位置する単一延長部の領域内に形成され得る。
【００１６】
第２の便座ユニットの孔手段は、ヒンジピン手段と回動可能に共働するようにされて、単一延長部、任意でこれの下面に形成されている少なくとも１つのヒンジアーム部を有し得る。
【００１７】
第１の便座ユニットは、ほぼ環状の座部を有してもよい。
【００１８】
更に、第１の便座ユニットは、ほぼ環状の座部から外方に互いにほぼ平行に延びた１対のアーム部とを有し、各アーム部は、これの遠端にもしくはこれの付近に、ヒンジピン手段と回動可能に共働し得る孔手段を有する。
【００１９】
第１の便座ユニットは、ヒンジピン手段と回動可能に共働するようにされて任意で第１の便座ユニットの座部の下面に設けられた少なくとも２つのヒンジアーム部を有してもよい。
【００２０】
蓋手段は、カバーとアーム部の対を有し、各アーム部はこれの遠端に、ヒンジピン手段と回動可能に共働する孔手段を有する。
【００２１】
蓋手段のアーム部は、各孔手段がカバーの平面の下に位置するようにカバーの下面から下方に延びていて良い。
【００２２】
代わりに、蓋手段は、カバーと、ヒンジピン手段と動可能に共働するようにされ、及び任意でカバーの下面に設けられたヒンジアーム部の対とを有していて良い。
【００２３】
いずれの場合にも、蓋手段は、第２の便座ユニットがヒンジピン手段に取着されている点の両側で夫々１点、合わせて２点で、また任意で、第２の便座ユニットが取り付けられている１点と第１の便座ユニットがヒンジピン手段に取着されている２つの点との個々の間で、ヒンジピン手段に回動可能に取着され得る。
【００２４】
蓋手段は、カバーの周縁部から下方向に延びたリムを有し、このリムは、蓋手段が“下げられた”位置にあるときに第２の便座ユニットを各側で及び上から囲むようにされている。
【００２５】
蓋手段は、第２の便座ユニットを、これら両方が“上げられた”位置にあるときに収容可能である。
【００２６】
キャッチ手段が、第２の便座ユニットを“上げられ”て収容された配置に維持するために設けられ得る。
【００２７】
蓋手段と第２の便座ユニットとは、“上げられた”位置にあるときに、第１の便座の使用者のための背もたれとして働く。
【００２８】
好ましい実施形態では、第１の便座ユニットのほぼ環状の座部と第２の便座ユニットのほぼ環状の座部とは、ほぼ同心である。
【００２９】
効果的には、第２の便座ユニットのほぼ環状の座部はこれの内側の周縁部に、下方向へ延びるリムを有する。
【００３０】
このリムは、第１の便座ユニットのほぼ環状の座部の内側周縁部と共働して第２の便座ユニットを完全に上に位置付けるようにさせ得る。
【００３１】
このリムはまた、第１の便座ユニットを、第２の便座ユニットの座部への液体のはねかけから保護するようにされ得る。
【００３２】
ヒンジピン手段は、調節可能な取付け具によって、この取付け具が便器に設けられるような２点間の離間の差（ｄｉｆｆｅｒｅｎｃｅ）を許容するように便器に取付けられ得る。
【００３３】
本発明の実施形態が、例を用いて及び図面を参照してより詳しく説明される。
【００３４】
【発明の実施の形態】
図面、特に図１を参照すると、本発明を実現する便座アッセンブリー１が従来の便器２に取り付けられている。大人用の大きさの第１の便座３が、便器２の上側のリム４の上に位置し、便座３の下面に設けられた幾つかの止め部５によって支持されている。便座３は、２つの短いアーム部（この図では示されず）を有し、各アーム部は水平なヒンジピン６を受けるように構成された孔を有する。かくして、便座３は、上げ下げ可能で、ヒンジピン６を中心に回動する。
【００３５】
ヒンジピン６は、各端部で、便器２に取り付けられた取付け部７に取り付けられている。
【００３６】
子供用の大きさの第２の便座８が大人用の大きさの便座３の上に位置する。内側のリム９が、第２の座部８の内側の周縁部（ｐｅｒｉｐｈｅｒｙ）から第１の便座３の開口部１０中へと下方に延び、大人用の大きさの第１の便座３を子供用の大きさの第２の便座８の使用者のはね返しから保護する。
【００３７】
第２の便座８は、ヒンジピン６を受けるように構成された孔を有する下方向突出部１２まで延びた単一アーム部１１を有する。かくして、便座８は、独立して上げ下げ可能で、ヒンジピン６を中心に回動し、第１の便座３が“下げられる”ように設けられている。
【００３８】
蓋部１３は、大人用の大きさの第１の便座３の上に位置し、外側の周縁部の前側から下方に延びた外側のリム１４によって支持される。蓋部１３と外側のリム１４とは共に子供用の大きさの第２の便座８を囲む。蓋部１３は、短いアーム部の対（図には示されず）を有しており、各アーム部は、これの下面から下方に延び、ヒンジピン６を受けるように構成された孔を有する。かくして、蓋部１３は、上げ下げ可能で、ヒンジピン６を中心に回動し、両便座３、８が“下げられる”ように設けられている。
【００３９】
図２は、大人用の大きさの第１の便座３の上に位置する子供用の大きさの第２の便座８を、蓋部１３が“上げられた（ｕｐ）”状態で示す。第１の便座３は２つの短いアーム部１５を有し、第２の便座８は単一アーム部１１を有し、蓋部１３は２つの短いアーム部１６を有する。各アーム部１１、１５、１６は、線Ａ―Ａに沿って同軸上に位置付けられた貫通孔を有する。ヒンジピン６（図には示されていない）はこれら孔を通り、両端部では２つの取付け部７に夫々取り付けられている。
【００４０】
便座アッセンブリー１の部品の各アーム部１１、１５、及び１６の大きさと構成とが、この実施形態で、強度、耐久性、及び安定性のために選択される。大人用の大きさの第１の便座３は、使用時に最も大きな負荷を支え、よって、２つの比較的幅広いアーム部１５を有する。子供用の大きさの座部８もまた使用時に負荷を支えることができ、よって、比較的幅広いアーム部１１を有する。蓋部１３は、負荷を支えることが殆どできず、これのリム１４によっていずれにしても支えられる。よって、アーム部１６は比較的幅が狭い。アーム部１１、１５、１６がヒンジピン６を全長に渡って囲み、及びアーム部１６がアーム部１５とアーム部１１との間に配置されているような示された構成は、アッセンブリー１の各部品に、互いに対する及び便器２に対する最も大きな耐久性を与え得ることが分かっている。
【００４１】
図３乃至６を参照すると、便座アッセンブリーは４つの構成を有する。
図３では、部品が下げられ、蓋部が両座部を覆っている。
図４では、蓋部が上げられ、大人用の大きさの座部の上に安定的に位置する子供用の大きさの座部が子供によって使用可能にされている。
図５では、蓋部と子供用の大きさの座部とが上げられ、大人用の大きさの座部が大人によって使用可能にされている。子供用の大きさの座部は、蓋部内に配置され、大人用座部の使用者のための背もたれを共に構成している。
図６では、両座部と蓋部とが上げられ、便器に直接接触可能である。
【００４２】
ヒンジ構成が、便座アッセンブリーの全部品が“上げられた（ｕｐ）”状態で安定的に位置されることを確実にする。ほぼ垂直に方向付けられているときでさえも、各部品の重心は便器から離れたヒンジを通る垂直面の側部（ｓｉｄｅ）にあり、よって、これがぐらつくことがない。
【００４３】
かくして、子供用の大きさの座部は、使用するために所定位置に設置され、安全かつ迅速に取り外されることが可能である。小さな子供でもこの手順を理解でき、近くで指導しなくても確実に行える。子供が成長して大人用の大きさの座部を使用できるようになれば、子供用の大きさの座部は、一方の取付け部を外し、ヒンジピンを引き出し、子供用の大きさの座部を持ち上げて外し（ｌｉｆｔ ｏｆｆ）、アッセンブリーの残りの部分を再組立てすることによって取り外され得る。子供用の大きさの座部の中央の単一のアーム部を取り外すと、残りのアーム部は、これらがヒンジピンに沿って摺動不可能なようにヒンジピン上に配置された状態で残され、かくして、アッセンブリーは安定した状態で残される。
【００４４】
アッセンブリーの大人の使用者は、蓋部と子供用の大きさの座部とから成る便利な背もたれを得られる。子供用の大きさの座部の使用者が便座アッセンブリーにはね返してしまっても、大人用座部が内側のリム９によって保護されていることから、子供用の大きさの座部のみを洗浄すればよい。
【００４５】
代わりのヒンジ構成が、図７に示されている。大人用の大きさの第１の便座３、子供用の大きさの第２の便座８、及び蓋部１３は、全て“下げられた”状態で示されている（注意：この図では第２の便座８は、後方に延びた単一アーム部１１のみによって表わされている。また、この実施形態では単一アーム部１１には下方向突出部１２が設けられていない）。
【００４６】
２つのヒンジ取付け部品１７が便器２に取り付けられ、各部品は、これからほぼ垂直に延びたヒンジ支持柱部１８を有する。ヒンジ取付け部品１７は、通常はナット及びボルト金具によって、便器２の孔に取り付けられる。便器２の２つの孔の間の距離は、相当に変えることができ、そして、ヒンジ取付け部品１７は、２つのヒンジ支持柱部１８間でほぼ一定の離間が維持されるように調節可能である。各ヒンジ支持柱部１８は、ヒンジピン６を受けるように構成された貫通孔を有する（これの位置が点線で示されている）。
【００４７】
ヒンジピン６は、これに回動可能に取り付けられた、全部で６個のヒンジアーム部を有する。外側、下側のヒンジアーム部１９の対の各アーム部が、大人用の大きさの第１の座部３の下面に設けられている。外側、上側のヒンジアーム部２０の対の各アーム部が、蓋部１３の下面に設けられている。また、内側、上側のヒンジアーム部２１の対の各アーム部は、子供用の大きさの第２の便座８の単一アーム部１１の下面に設けられている。各ヒンジアーム部１９、２０、２１は、好ましくは、ねじ金具によって、便座もしくは蓋部に夫々設けられている。上側のヒンジアーム部２０、２１の各々には、ヒンジピン６を受けるように構成された貫通孔が設けられ、もう一方で、外側、下側のヒンジアーム部１９には、ヒンジピン６の端部を受けるための凹部が設けられている。かくして、ヒンジピン６は、ヒンジアーム部１９、２０、２１と柱部１８とに対して軸方向に動くためには最小のあそびを有するのみだが、回動運動は制限されていない。
【００４８】
３つのスペーシング管２２が、ヒンジピン６の周りに、これと同軸に配置され、このうち２つの各々は各外側、上側ヒンジアーム部２０とこれに隣接する各内側、上側ヒンジアーム部２１との間に延び、１つは２つの内側、上側ヒンジアーム部２１間に延びている。スペーシング管２２は、ヒンジピン６に沿った内側、上側ヒンジアーム部２１（かくして第２の便座８の）の大きな動きを防止し、そして、２つの便座３、８と蓋部１３とを一直線上に維持する。スペーシング管２２はまた、ヒンジ構成の審美的な外観を向上させ得る。
【００４９】
この特定のヒンジ構成はまた、部品が“下げられた”位置にあるときに大人用の大きさの第１の便座３の上面と子供用の大きさの第２の便座８の下面並びに／もしくは蓋部１３との間の必要な離間を維持するのを容易にする。これらの間の最小の間隙が安全面から多くは指定され、かくして、使用者の指が蓋部もしくは第２の便座の下に容易に捕えられることはない。
【００５０】
図８は、例えば上げ下げの途中など動かしている間の、以下のような構成の図７のヒンジアッセンブリーを示す。この構成は、第１の便座３が“下げられた”位置にあり、蓋部１３が“上げられた”位置にあり、及び第２の便座８が中間の位置にある構成である。
【００５１】
図９は、“下げられた”位置にある第１の便座３と、共に“上げられた”位置にある蓋部１３と第２の便座８とを示す。図７のヒンジアッセンブリーの動作を説明するだけでなく、これはまた、この実施形態の第２の便座８が、この便座８と蓋部１３とが共にほぼ平らな表面を例えば第１の便座３の使用者の背中に与えるように蓋部１３内にうまく適合しているのを示す。
【００５２】
図１０乃至１３を参照すると、図３乃至６に示された４つの構成に夫々対応した、図７のヒンジアッセンブリーが設けられた便座アッセンブリーの４つの構成が示されている。
【００５３】
図１４、１５に示された本発明の第３の実施形態は、便座アッセンブリーの部品がプラスチック材料で作られる場合に、更にこれらが大方中空鋳出成形される場合に特に適している。短いヒンジピンの対２６が、図１乃至１３の便座アッセンブリーの単一のヒンジピン６の代わりに使用される。
【００５４】
図１４は、部分的に組立てられた状態で便器に取り付けられた便座アッセンブリーを示す。実際には、便座アッセンブリーは、便器に取り付ける前に比較的便利に一緒に適合されるが、この図は、この実施形態の詳細をより明らかに示す。２つのヒンジ取付け具２３は、便器２にボルトで締められた取付け基部２４と、使用時にはこの取付け基部２４からほぼ垂直に延びるヒンジ支持柱部２５とを夫々有する。短いヒンジピン２６は、各柱部２５の上部から離れるようにほぼ水平に延びている。各ヒンジピン２６には、このヒンジピン２６の各柱部２５から離れた端部に位置付けヘッド２７が設けられている。各位置付けヘッド２７は、各ヒンジピン２６よりも僅かに大きな直径を有し、及びこれの中を貫通して延びた横スロット２８を有する。
【００５５】
ヒンジ取付け具２３は、１対のヒンジピン２６が一方から他方へと内方に延びてほぼ同一線上に並べられるように、便器に取り付けられる。１つのヒンジピン２６は、大人用の大きさの第１の便座３の短いアーム部１５の各孔の中を通り、大人用の大きさの座部を上げ下げ可能にし、ヒンジピン２６を中心に回動する。蓋部１３は、ヒンジピン２６に同様に設けられ得るが、この図では、明らかにするために省略されている。
【００５６】
図１６は、子供用の第２の便座８が所定位置に取り付けられた図１４の便座アッセンブリーを示す。第２の便座８は、下方向突出部１２まで延びた単一アーム部１１を有する。この下方向突出部１２には、ヒンジピン２６を夫々受けるように構成された２つの孔２９が設けられている（この図では１つの孔は隠れている）。各孔２９は、中空鋳出成形された下方向突出部１２の内側に接続している。各ヒンジピン２６が各孔２９中に挿入されるのにつれて、これの位置付けヘッド２７が圧迫され（ｓｑｕｅｅｚｅ ｄｏｗｎ）、部分的にスロット２８を封じる。孔２９を通った後、位置付けヘッド２７は弾力的に最初の構造に戻り、移動止め手段として働き、下方向突出部１２からヒンジピン２６が抜けるのを防止する。
【００５７】
かくして、子供用の大きさの第２の便座８は、第１の便座３がこれの“下げられた”位置にあるときに、この大人用の第１の便座３の上部に位置し、独立して上げ下げ可能で、これからゆるんでしまう危険もなく、ヒンジピン２６を中心に回動する。
【００５８】
子供用の大きさの第２の便座８を便座アッセンブリーから取り外すことが望ましい場合、ヒンジ取付け具２３は、便器２から完全に取り外されるか、もしくは、ヒンジピン２６がこれの一方が他方から離れるように付勢可能にされるように十分に緩められる。続いて、各ヒンジピン２６は、各位置付けヘッドの抵抗を克服するのに十分な手動の力により下方向突出部１２の各孔２９から引き出される。第２の便座８は取り外し可能で、便座アッセンブリーの残りは便器２に再取付け可能である。
【００５９】
任意で、第２の便座がない場合、管状の部材（示されず）が両ヒンジピン２６の上方に同軸に延びるように取り付けられ、ヒンジピン２６が互いに整列した状態に安定的に維持されることを確実にする。これはまた、審美的な目的も果たす。
【００６０】
図１６を参照すると、便座アッセンブリーの便座が連続的な環状でない本発明の実施形態が示されている。上記の図７に示されたタイプのヒンジアッセンブリー３０が示されているが、図１及び図１４のヒンジアッセンブリーもまたこの実施形態で使用可能である。便座アッセンブリーの様々の部品は、明らかにするために、平面上に配置されているかのように示されているが、これらは便器上の所定位置に表れていない。
【００６１】
所定の場所、とりわけ病院もしくは他の医療施設では、連続的に環状ではなくて使用者から見て正面にギャップを有する便座を採用するのが普通である。かくして、“Ｕ字形（ｈｏｒｓｅｓｈｏｅ）”の第１の大人用の大きさの便座３１と“Ｕ字形”の第２の子供用の大きさの便座３２とが、第１の便座３と第２の便座８との代わりにこの実施形態では使用されている。蓋部１３、ヒンジアッセンブリー３０、及びこれの取り付け方法とは、先に説明されたか示されたような望ましい任意のタイプのものである。
【００６２】
かくして、本明細書を通して使用されている用語“環状”は、不連続的に囲まれたほぼ中央の開口部を有する連続的な環状と、例えば座部のギャップ３３がほぼ中央の開口部３４を環の外側に接続しているように示された不連続的な環状との両方を含むと理解されるのがよい。
【図面の簡単な説明】
【図１】便器の下げられた位置にある、本発明を実現する便座アッセンブリーの断面図である。
【図２】図１に示された便座アッセンブリーのヒンジ領域の断片図である。
【図３】図１に示された便座アッセンブリーが適合可能な構成を示す。
【図４】図１に示された便座アッセンブリーが適合可能な構成を示す。
【図５】図１に示された便座アッセンブリーが適合可能な構成を示す。
【図６】図１に示された便座アッセンブリーが適合可能な構成を示す。
【図７】座部から離れた方向から見て下げられた位置にある、本発明を実現する他の便座アッセンブリーのヒンジ領域の断片図である。
【図８】更なる構成の、図７の便座アッセンブリーのヒンジ領域の更なる断片図である。
【図９】更なる構成の、図７の便座アッセンブリーのヒンジ領域の更なる断片図である。
【図１０】図７の便座アッセンブリーが適合可能な構成を示す。
【図１１】図７の便座アッセンブリーが適合可能な構成を示す。
【図１２】図７の便座アッセンブリーが適合可能な構成を示す。
【図１３】図７の便座アッセンブリーが適合可能な構成を示す。
【図１４】本発明を実現する第３の便座アッセンブリーのヒンジ領域の部分的な組立てられた外観を示す。
【図１５】第２の便座が取り付けられた、図１４の便座アッセンブリーのヒンジ領域を示す。
【図１６】代わりの形状の便座が設けられた、本発明の第４の実施形態を示す。
【図１】
2004507304.tif 000003
【図２】
2004507304.tif 000004
【図３】
2004507304.tif 000005
【図４】
2004507304.tif 000006
【図５】
2004507304.tif 000007
【図６】
2004507304.tif 000008
【図７】
2004507304.tif 000009
【図８】
2004507304.tif 000010
【図９】
2004507304.tif 000011
【図１０】
2004507304.tif 000012
【図１１】
2004507304.tif 000013
【図１２】
2004507304.tif 000014
【図１３】
2004507304.tif 000015
【図１４】
2004507304.tif 000016
【図１５】
2004507304.tif 000017
【図１６】
2004507304.tif 000018
【国際公開パンフレット】
2004507304.tif 000019
2004507304.tif 000020
2004507304.tif 000021
2004507304.tif 000022
2004507304.tif 000023
2004507304.tif 000024
2004507304.tif 000025
2004507304.tif 000026
2004507304.tif 000027
2004507304.tif 000028
2004507304.tif 000029
2004507304.tif 000030
2004507304.tif 000031
2004507304.tif 000032
2004507304.tif 000033
2004507304.tif 000034
2004507304.tif 000035
2004507304.tif 000036
2004507304.tif 000037
2004507304.tif 000038
2004507304.tif 000039
2004507304.tif 000040
2004507304.tif 000041
2004507304.tif 000042
2004507304.tif 000043
2004507304.tif 000044
【国際調査報告】
2004507304.tif 000045
2004507304.tif 000046
2004507304.tif 000047